(57)【要約】【課題】構造が極めて簡単であり、扉のロックおよびロックの解除操作が容易な、扉のロック機構を提供する。【解決手段】柵の出入口に扉６を回動自在に枢着し、柵の出入口に臨む側部に、扉を閉状態にロックするロック部材１０を取付け、ロック部材は、ピン部材１１により扉の前面に沿って左右方向にスイング可能に吊下げられると共に、ピン部材により吊下げられた自然の姿勢で扉の開閉軌道の内側に突出する押さえ部１１ａを形成し、扉の側部または前記ロック部材の押さえ部のいずれか一方に、扉を閉じる途中において、ロック部材を扉の開閉軌道から退避させる方向に回動させるテーパー部１５を設け、扉を閉じると同時に、扉の開閉軌道から退避した前記ロック部材が元の位置に自動復帰し、前記扉を閉状態に維持するように構成する。【選択図】図１
2008101409.tif 000002
【特許請求の範囲】
【請求項１】
少なくとも側方を囲む柵の出入口に扉を回動自在に枢着し、柵の出入口に臨む側部に、前記扉を閉状態にロックするロック部材を取付け、該ロック部材は、ピン部材により扉の前面に沿って左右方向にスイング可能に吊下げられると共に、前記ピン部材により吊下げられた自然の姿勢で前記扉の開閉軌道の内側に突出する押さえ部を形成しており、前記扉の側部または前記ロック部材の押さえ部のいずれか一方に、扉を閉じる途中において、ロック部材を扉の開閉軌道から退避させる方向に回動させるテーパー部を設け、扉を閉じると同時に、扉の開閉軌道から退避した前記ロック部材が元の位置に自動復帰し、前記扉を閉状態に維持するように構成されたことを特徴とする扉のロック機構。
【請求項２】
前記ロック部材は、略円板状部材または略円環状部材であることを特徴とする請求項１記載の扉のロック機構。
【請求項３】
前記ロック部材のスイング動作を一時的に規制する規制ピンを設けたことを特徴とする請求項１または請求項２記載の扉のロック機構。
【請求項４】
前記ロック部材の近傍に扉の取っ手が取り付けられていることを特徴とする請求項１ないし請求項３記載の扉のロック機構。
【請求項５】
前記柵を上下に逆さまの状態にして、いずれの場合においても、前記ピン部材により吊下げられた自然の姿勢のロック部材によって、扉が閉状態にロックされる構成であることを特徴とする請求項１ないし請求項４記載の扉のロック機構。
【請求項６】
前記扉の一部にペットが口にくわえることが可能なロープ部材が吊下げられていることを特徴とする請求項１ないし請求項５記載の扉のロック機構。
【発明の詳細な説明】
【技術分野】
【０００１】
本発明は、少なくとも四方を囲む柵、例えばペット用等のサークルやケージ、あるいは安全柵等の出入口に設けられる扉のロック機構に関するものである。
【背景技術】
【０００２】
室内で犬等のペットを飼育するために用いるサークルや屋外にペットを持ち運ぶために用いるケージには、一般に、側方パネルの一箇所にペットの出入り口となる開口部が設けられ、この開口部に開閉可能な扉が設けられている。また、この扉を開口部に対して閉じた状態に維持するロック機構が装備されている。
【０００３】
この種のロック機構は、鍵を使用することなくロックおよび解除が行える一方、ケージ内でペットが動いたり暴れたりしてもロックが容易に解除されないようにする工夫が施されている。
【０００４】
この種のロック機構として、従来より、扉を閉じてロック部材を回動させ、次いでスライド部材をスライドさせてロック部材に係止させて、複数のロック片のロック操作を行い、またスライド部材をスライドさせてロック部材の係止を外した後、ロック部材を回動させて、複数のロック片のロック解除の操作を行うようにした提案が知られている（特許文献１）。
【０００５】
また、扉を合成樹脂製の正面ケースと合成樹脂製の背面ケースとの間に挟持させて両ケースを互いに固着してケース体を構成し、扉の開閉時にはロック操作体８の操作用把持部７を片手で操作するようにしたロック機構が知られている（特許文献２）。
【特許文献１】特開２００２−３１７５７９号公報
【特許文献２】登録実用新案第３０５３２２６号公報
【発明の開示】
【発明が解決しようとする課題】
【０００６】
しかしながら、特許文献１、特許文献２いずれのロック機構も、部品点数が多く、構造が複雑で、ロックおよびロックの解除操作が一見して分かりにくく、ロック機構の設置位置も限られる上、部品が破損した場合、修理ができないものも多く、改善すべき余地が大いに残されている。また、後者の特許文献２のロック機構は、さらに、２本の指でしっかりつまむ力が必要であり、握力の弱いお年寄りや子供には操作の負担が大きい上に、指を挟んだりする危険がある。しかも、合成樹脂製のケースが壊れ易いという問題もある。
【０００７】
本発明は、前記事情に鑑みてなされたもので、その目的は、構造が極めて簡単で壊れにくい扉のロック機構を提供することである。
【０００８】
また、本発明の目的は、一見しただけであるいは指で触っただけで、扉のロックおよびロック解除の操作が分かり易く、さらに、各操作の際に握力を必要とせず、これにより、お年寄りや目の不自由な盲導犬ユーザーなど、だれにでも簡単に操作が行える、扉のロック機構を提供することである。
【課題を解決するための手段】
【０００９】
上記課題を解決するために、本発明の請求項１に係る扉のロック機構は、少なくとも側方を囲む柵の出入口に扉を回動自在に枢着し、柵の出入口に臨む側部に、前記扉を閉状態にロックするロック部材を取付け、該ロック部材は、ピン部材により扉の前面に沿って左右方向にスイング可能に吊下げられると共に、前記ピン部材により吊下げられた自然の姿勢で前記扉の開閉軌道の内側に突出する押さえ部を形成しており、前記扉の側部または前記ロック部材の押さえ部のいずれか一方に、扉を閉じる途中において、ロック部材を扉の開閉軌道から退避させる方向に回動させるテーパー部を設け、扉を閉じると同時に、扉の開閉軌道から退避した前記ロック部材が元の位置に自動復帰し、前記扉を閉状態に維持するように構成されたことを特徴とする。
【００１０】
前記柵は、サークル（天板パネルがないもの）やケージ（天板パネルがあるもの）が含まれる概念である。
【００１１】
請求項１に係る扉のロック機構によると、扉が開いた状態から、開閉軌道に沿って扉を閉じていくと、その途中で、扉の側縁部が、ロック部材の押さえ部に当接する。扉をさらに閉じると、テーパー部の作用により、扉の側縁部がロック部材を開閉軌道から退避させる方向に回動させ、これにより扉の側縁部がロック部材と干渉することなく、扉が柵の出入口に完全に閉まり、扉が完全に閉まったときに、扉の側縁部により退避方向に回動させられていたロック部材が、元の位置に自動復帰し、扉の閉じ状態をロックする。
テーパー部は、扉の側部側に設けるか、また、ロック部材の押さえ部側に設けられる。
【００１２】
扉を閉じる動作のみでテーパー部の作用によりロック部材が元の自然の姿勢に戻るべくスイング動作し、扉を自動ロックし、また、扉を開けるときはロック部材を指でスイング動作させて扉の開閉軌道から退避させる単純操作のみで、扉のロックを解除し、扉を開けることができる。したがって、扉のロックおよびその解除の操作が極めて容易である。
ロック部材によるロック状態では、ロック部材の押さえ部が扉の側部を外側から確実に押さえるから、柵内部の小動物等により扉が不用意に開放されることが防止される。
【００１３】
請求項２記載の扉のロック機構は、前記ロック部材は、略円板状部材または略円環状部材であることを特徴とする。
【００１４】
請求項２記載の扉のロック機構によると、略円板状部材または略円環状部材であることにより、ロック部材によるロック操作およびロック解除操作が見たままで分かり易く、また、ロック部材を円滑にスイング動作させ易く、動作にぎくしゃく感が最も無い。しかも、従来品に比べてロック部材の部品加工が容易である。さらに、柵の用途や大きさに応じて、円の大きさを変えるだけで、ロック部材を容易に適用可能である。
【００１５】
請求項３記載の扉のロック機構は、前記ロック部材のスイング動作を一時的に規制する規制ピンを設けたことを特徴とする。規制ピンを外すことにより、ロック部材のロックを解除可能とするものである。規制ピンには南京錠タイプ、かんぬきタイプ等が含まれる。
【００１６】
請求項４記載の扉のロック機構は、前記ロック部材の近傍に扉の取っ手を取り付けたことを特徴とする。ロック部材の近傍に扉の取っ手を取り付けることで、例えば、右手の親指でロック部材を退避方向にスイングさせながら扉の取っ手を同じ右手で把持しながら扉の開閉操作を容易に行うことができる。
【００１７】
請求項５記載の扉のロック機構は、柵を上下に逆さまの状態にして、いずれの場合であっても、ピン部材により吊下げられた自然の姿勢のロック部材によって、扉が閉状態にロックされる構成であることを特徴とする。
【００１８】
柵を上下に逆さまの状態にして、いずれの場合であっても、ロック部材が扉のロック状態を維持可能であるから、扉を右開きまたは左開きのいずれの状態であっても、ロック部材により扉をロックすることができて、設置場所に応じて、扉を右開きにもでき、左開きにもでき、実用性を高めることができる。
【００１９】
請求項６記載の扉のロック機構は、扉の一部にペットが口にくわえることが可能なロープ部材を吊下げたことを特徴とする。
【００２０】
請求項６記載の扉のロック機構によると、扉の一部にペットが口にくわえることが可能なロープ部材を吊下げることにより、扉が開いた状態で柵内に入ったペットがロープ部材を口にくわえ、自分で扉を閉める方向にロープ部材を引っ張り、扉を自動的にロックすることができる。すなわち、飼い主がペットを自分でロープ部材を口にくわえて扉を閉めるように躾けることによって、飼い主とペットの共同作業を通じて、躾けの楽しみを付加することができる。ロック部材はテーパー作用によって開いた状態の扉がロープ部材で引っ張られることにより、自動的に回避方向にスイングし、扉が完全に閉まると、ロック部材が自動的に元の状態に復帰し、閉状態を維持する。
【発明の効果】
【００２１】
以上説明したように、本発明に係る扉のロック機構は、ロック部材の押さえ部または扉の側端部のいずれか一方に設けたテーパー部の作用により、扉を閉じる動作のみでロック部材を左右にスイング動作させて、扉の自動ロックを可能とし、また、扉を開けるときはロック部材を手で扉の開閉軌道から退避させる単純操作のみで、扉のロックを解除でき、扉のロックおよびその解除操作が極めて容易であるという効果を奏する。
【００２２】
また、ロック部材とピン部材の２部品からロック機構を構成できるから、ロック機構の構造を極めて簡素化することができ、製作費用の低廉化を図れるという効果を奏する。
【００２３】
さらに、ロック部材によるロック状態では、ロック部材の押さえ部が扉の側部を外側から確実に押さえるから、柵内部の小動物等により扉が不用意に開放されないという効果を奏する。
【発明を実施するための最良の形態】
【００２４】
以下、本発明の実施の形態を、図面を参照して説明する。
図１乃至図７は本発明の第１の実施形態を示すもので、図１ないし図３において、符号１は、ペット用サークルを示している。このペット用サークル１は、周囲を囲繞する４面の金属製の枠部、すなわち、小動物の出入口２を形成する前枠部３と、左右の側枠部４と、背面の後枠部５と、前記前枠部３の出入口２に配置される金属製の扉６とから構成されている。
【００２５】
前記前枠部３、側枠部４、後枠部５、扉６の各枠内には、それぞれ等間隔に縦線部材７が取付けられている。また、正面視して、扉６の右側端部６ａが蝶番８を介して前枠部３の右側端部３ａに対し所定の開度だけ回動自在に枢着されている。さらに、扉６の左側端部６ｂ寄りの上端部６ｃに扉開閉用の取っ手９が取付けられている。
【００２６】
前記前枠部３の左側端部３ｂの、取っ手１０の近傍位置の高さに、ロック機構を構成するロック部材１０が、ピン部材１１により扉６の前面に沿って左右方向にスイング可能に吊下げられている。なお、ロック部材１１の吊下げ位置は、扉６をロックおよびロックを解除できる位置であればよい。このロック部材１０は、上端がピン部材１１に吊下げられた状態で、図２に示すように、前枠部３の左側端部３ｂの幅Ｗから左右に突出する直径Ｄの金属製の円環状部材からなり、ロック部材１０の、前枠部３の左側端部３ｂの右側縁から突出する部分が押さえ部１０ａを構成する。
【００２７】
この押さえ部１０ａは、図３に示すように、扉６の開閉軌道Ｓの内側に突出しており、このため、扉６を前枠部３の出入口２内に完全に閉じた状態では、外側から扉６の左側端部６ｂを係止して、扉６が開かないように外側から扉６をロックするようになっている。
【００２８】
ピン部材１１は、図４に示すように、頭部１１ａと軸部１１ｂとから構成されており、軸部１１ｂを、ロック部材１０の上端のピン孔１２ａ、ワッシャー１３を介して前枠部３の左側端部３ｂのピン孔１２ｂにそれぞれ挿通し、突出する軸部１１ｂの先端に対し前枠部３の内側から１又は複数のナット１４を螺合し、これにより、ピン部材１１の頭部１１ａ裏面と前枠部３の左側端部３ｂ前面との間に所定の間隔Ｓを形成し、ピン部材１１を中心として、外力によりロック部材１０を振り子のように左右に円滑にスイングさせることができる。
【００２９】
ナッターを用いて図示しないナット部材をピン孔１２ｂに埋め込み、外側から別のナット１４をピン部材１１の軸部１１ｂの先端に螺合したり、前枠部３の左側端部３ｂの内面のピン孔１２ｂ位置にナット部材１４を溶接固定し、もう一つのナット部材をピン部材１１の軸部１１ｂの先端に螺合するようにしてもよい。また、ピン部材１１の軸部１１ｂの先端に複数のナット１４を螺合する代りに、１つの袋ナットを螺合するようにしてもよい。
【００３０】
扉６の左側端部６ｂの、前記ピン部材１１に吊下げられたロック部材１０の押さえ部１０ａと当接する、内面側の左側縁部分に、当該角部が斜め４５度に切除された傾斜面からなるテーパー部１５が形成されている（図５参照）。このテーパー部１５は、図６および図７に示すように、扉６の閉動作の途中で、ロック部材１０の押さえ部１０ａの先端に当接し、扉６を閉じる力の分力により、ロック部材１０を左側に揺動させる、すなわち扉６の開閉軌道Ｓから退避させる方向に回動させる役割をする（図６（ａ）から（ｂ）および図７（ａ）から（ｂ）参照）。
【００３１】
これにより、扉６の左側端部６ｂがロック部材１０と干渉することなく、扉６を前枠部３の出入口２に完全に閉めることができ、扉６が完全に閉まると、ロック部材１０に加えられていた扉６による外力が解放されて、ロック部材１０が、元の位置に自動復帰し、ロック部材１０の押さえ部１０ａにより扉６の閉状態をロックする（図６（ｃ）および図７（ｃ）参照）。
【００３２】
扉６を開けるには、右手で扉６の取っ手９を把持し、同じ右手の親指でロック部材１０を左側に回動させて扉６の開閉軌道から退避させ、その状態で扉６を手前に開けるようにする。片手の２アクションの動作でロック部材１０の解除操作と扉６の開き操作を連続的に行うことができ、操作を極めてスムーズに行える。
【００３３】
前枠部３の左側側部３ｂの上端を上に延ばして、ロック部材１０を上方位置にピン部材１１で吊下げ、それに合わせてロック部材１０の押さえ部１０ａで押さえる扉６側の取っ手９を上に延ばすように構成することもできる。
【００３４】
図８は、本発明の第２実施形態を示すもので、ロック部材１０の周縁部に、前記実施形態におけるテーパー部１５と同じ役割をもつテーパー部１６を設けたものである。図８の場合であっても、テーパー部１６のテーパー作用により、ロック部材１０を扉６の開閉軌道から退避させる方向に回動させることができる。
【００３５】
図９は、本発明の第３実施形態を示すもので、ロック部材１０のスイング動作を一時的に規制する南京錠タイプの規制ピン１７を扉６の全閉後に設けるようにしたものである。すなわち、ロック部材１０の前面下部と、前枠部３の左側端部３ｂの相対する位置に係止板部１８、１９をそれぞれ固定し、両係止板部１８、１９に上下に貫通するピン孔１８ａ、１９ａを設け、扉６を閉じてから、両ピン孔１８ａ、１９ａに前記南京錠タイプの規制ピン１７を上下方向に挿通し、これによりロック部材１０のスイング動作を規制する一方、扉６を開く前に、規制ピン１７を抜き取り、ロック部材１１のロック解除を行うものである。なお、規制ピン１７はかんぬきタイプであってもよい。
【００３６】
図１０は、本発明の第４実施形態を示すもので、図１０において、符号２０は、屋外に設置された安全柵を示している。この安全柵２０は、周囲を囲繞する柵２１の一部に人の出入口２２が設けられ、この出入口２２にオートクローザー機能付きの扉２３が設けられている。
【００３７】
扉２３は、その右側端部２３ａが出入口２２に臨む柵２１の右側端部２１ａに対し蝶番２４を介して所定開度回動可能に枢着され、通常は扉２３が開く方向に軽く付勢されている。また、扉２３の左側端部２３ｂ寄りの上端部２３ｃには取っ手２４が取付けられている。そして、出入口２２に臨む柵２１の左側端部（支柱）２１ｂの、前記取っ手２４の高さ位置に、前記実施形態と同じ円環状部材からなるロック部材１０がピン部材１１により吊下げられている。
【００３８】
本実施形態では、ロック部材１０の、扉２３の取っ手２４の左側端部２４ａと当接する部分に前記のテーパー部１６が設けられ、取っ手２４とのテーパー作用により、ロック部材１０を退避方向に回動させて扉２３を閉じて扉２３を自動ロックでき、取っ手２４を把持した手の親指等でロック部材１０を退避させてロックを解除し、扉２３を開けることができる。すなわち、扉２３を閉じる動作のみでロック部材１０がスイング動作し、扉２３を自動ロックし、また、扉２３を開けるときはロック部材１０を手で扉の開閉軌道から退避させる単純操作のみで、扉２３のロックを解除し、扉２３を開けることができる。
【００３９】
本実施形態の安全柵２０の使用形態としては、例えば屋外で開催される小動物のふれあいコーナーやドッグランなどの囲繞設備、あるいは室内での幼児用の安全柵などがある。
【００４０】
図１１は、本発明の第５実施形態を示すもので、図１１において、符号３０は、ベビーベット用の安全柵を示している。この安全柵３０は、周囲を囲繞する柵の前面に、回動軸３１ａ回りに手前に倒すことが可能な可動柵３１が設けられ、この可動柵３１を閉じた状態に自動ロックし、あるいはロックを解除できる、左右一対のロック部材１０がピン部材１１により左右の支柱３２からそれぞれ吊下げられている。本実施形態の安全柵３０においても、可動柵３１を持ち上げて閉じる動作のみで左右の両ロック部材１０により可動柵３１を自動ロックし、また、左右の両ロック部材１０を両手の親指で可動柵３１の開閉軌道から左右両側に退避させる単純操作のみで、可動柵３１のロックを解除し、可動柵３１を倒すことができる。
【００４１】
第１２図は、本発明の第６実施形態を示すもので、図１に示すペット用サークルの右開き用の扉６を左開き用に適用可能としたものである。すなわち、第図１２（ａ）に示すように、前枠部３の左側側部３ｂの上下端２箇所にピン孔１２ａ、１２ｂを貫通し、上側のピン孔１２ａにピン部材１１によってロック部材１０を吊下げる場合には、図１に示すように扉６が右開き用となって、右手の親指でロック部材１１をスイングさせて、右手の残りの指で扉６を内側から外側へ押して右に開くことができる。一方、図１２（ｂ）に示すように、サークル1を上下に引っくり返すと、扉６が左開き用となり、今度は上側となったピン孔１２ｂにピン部材１１によってロック部材１０を吊下げると、左手の親指でロック部材１０をスイングさせて、左手の残りの指で扉６を内側から外側へ押して左に開くことができる。
【００４２】
なお、図１２において、ピン孔１２を上下方向略中央に穿設して、ピン部材１１によってロック部材１０を取り付ければ、後は上下に引っくり返すだけで、右開き用にも左開き用にも兼用することができる。なお、図１に示す取っ手９を扉６の上下に取り付けるようにしてもよい。
【００４３】
図１３は、本発明の第７実施形態を示すもので、扉６の上部の内側にペットが口にくわえることが可能な例えば球体３３ａを先端に備えたロープ部材３３を吊下げるようしたものである。扉６の上部の内側にペットが口にくわえることが可能なロープ部材３３を吊下げることにより、扉６が開いた状態で柵１内に入るペットがロープ部材３３を口にくわえ、自分で扉６を閉める方向にロープ部材３３を引っ張り、扉６を自動的にロックすることができる。
【００４４】
以上の実施形態で説明した柵は、枠内に縦線部材を配置した格子形のパネルが用いられるが、パネルの形態としては、例えば、枠の内側にアクリル板等の透明、半透明のパネル、パンチングメタル、ナイロン繊維や高強度繊維からなるメッシュ状布地、木板（縦格子など）を、両側から枠を挟んで留めることによって、取替え可能に取付けることも可能である。
【産業上の利用可能性】
【００４５】
本発明に係る扉のロック機構は、ペット用のサークルやケージ、安全柵等の出入口に設けられる扉のロック機構として、あるいはゴミステーション等の扉に設けられるロック機構として、利用可能である。
【図面の簡単な説明】
【００４６】
【図１】本発明の第１実施形態を示すもので、本発明に係る扉のロック機構を適用したペット用サークルを示す斜視図である。
【図２】（ａ）は図１のペット用サークルの正面図、（ｂ）はその側面図である。
【図３】図１のペット用サークルの平面図で、扉の開閉軌道を示す図である。
【図４】ロック部材の吊下げ状態を示す要部断面図である。
【図５】扉側に設けられたテーパー部を示す要部斜視図である。
【図６】（ａ）（ｂ）（ｃ）は、扉の閉動作に伴いロック部材のスイング動作により扉がロックされる様子を正面視した作用図である。
【図７】（ａ）（ｂ）（ｃ）は、扉の閉動作に伴いロック部材のスイング動作により扉がロックされる様子を平面視した作用図である。
【図８】本発明の第２実施形態を示すもので、ロック部材側にテーパー部を設けた例を示す図である。
【図９】本発明の第３実施形態を示すもので、規制ピンを設けた例を示す図である。
【図１０】本発明の第４実施形態を示すもので、本発明に係る扉のロック機構を適用した安全柵を示す正面図である。
【図１１】本発明の第５実施形態を示すもので、本発明に係る扉のロック機構を適用したベビーベットの安全柵を示す正面図である。
【図１２】本発明の第６実施形態を示すもので、（ａ）は本発明に係る扉のロック機構を扉の右開き用に適用した状態、（ｂ）は同ロック機構を扉の左開き用に適用した状態を示す正面図である。
【図１３】本発明の第７実施形態を示すもので、扉の内側にペットが口でくわえることが可能なロープ部材を吊下げた状態を示す図である。
【符号の説明】
【００４７】
１  ペット用サークル
２、２２  出入口
３  前枠部
３ａ、６ａ、２０ａ  右側端部（側部）
３ｂ、６ｂ、２１ｂ、２４ａ  左側端部（側部）
４  側枠部
５  後枠部
６、２３  扉
６ｃ、２１ｃ  上端部
７  縦線部材
８  蝶番
９、２４  取っ手
１０  ロック部材
１１ａ  押さえ部
１１  ピン部材
１１ａ  頭部
１１ｂ  軸部
１２ａ、１２ｂ、１８ａ、１９ａ  ピン孔
１３  ワッシャー
１４  ナット
１５、１６  テーパー部
１７  規制ピン
１８、１９  係止板部
２０、３０  安全柵
３１  可動柵
３１ａ  回動軸
３２  支柱
３３  ロープ部材
３３ａ  球体
【図１】
2008101409.tif 000003
【図２】
2008101409.tif 000004
【図３】
2008101409.tif 000005
【図４】
2008101409.tif 000006
【図５】
2008101409.tif 000007
【図６】
2008101409.tif 000008
【図７】
2008101409.tif 000009
【図８】
2008101409.tif 000010
【図９】
2008101409.tif 000011
【図１０】
2008101409.tif 000012
【図１１】
2008101409.tif 000013
【図１２】
2008101409.tif 000014
【図１３】
2008101409.tif 000015